(57)【要約】【課題】棚部材の角度の調節が簡便に行える商品陳列棚を提供すること。【解決手段】左右に間隔を隔てて立設された支柱２，２に取付けられる左右１対のブラケット７，７により棚部３が支持された商品陳列棚１であって、棚部３は、商品載置面として機能する第１載置面１１ａと第２載置面１１ｂとを表裏に有する棚部材１１を備え、棚部材１１は、第１載置面１１ａを上面にしてブラケット７，７上に支持された場合と、第２載置面１１ｂを上面にしてブラケット７，７上に支持された場合と、における支柱２，２に対する商品載置面の傾斜角度が互いに異なる。【選択図】図１
2015196023.tif 000002
【特許請求の範囲】
【請求項１】
左右に間隔を隔てて立設された支柱に取付けられる左右１対のブラケットにより棚部が支持された商品陳列棚であって、
前記棚部は、商品載置面として機能する第１載置面と第２載置面とを表裏に有する棚部材を備え、前記棚部材は、前記第１載置面を上面にして前記ブラケット上に支持された場合と、前記第２載置面を上面にして前記ブラケット上に支持された場合と、における前記支柱に対する商品載置面の傾斜角度が互いに異なることを特徴とする商品陳列棚。
【請求項２】
前記棚部材の前記第１載置面または前記第２載置面の少なくともいずれかの端部寄りには、前記支柱側で支持される立上部が形成されていることを特徴とする請求項１に記載の商品陳列棚。
【請求項３】
前記棚部は、前記左右１対のブラケットに支持される基台部材と、該基台部材上に載置される前記棚部材と、からなることを特徴とする請求項２に記載の商品陳列棚。
【請求項４】
前記基台部材の後方部には、上向き略コ字状の凹溝が形成されており、前記棚部材の前記立上部が前記凹溝に嵌入可能となっていることを特徴とする請求項３に記載の商品陳列棚。
【請求項５】
前記棚部材における前記立上部の近傍には、凹溝部または孔部が形成されており、前記凹溝部または孔部が前記基台部材の後方部に設けられた凸部に係合可能になっていることを特徴とする請求項３または４に記載の商品陳列棚。
【発明の詳細な説明】
【技術分野】
【０００１】
本発明は、スーパーマーケット等の店舗に設置される商品陳列棚に関する。
【背景技術】
【０００２】
スーパーマーケット等の店舗には、左右に間隔を隔てて立設された支柱にブラケットを取付け、これらブラケットにより商品を並べて陳列する棚部材を複数段支持させた商品陳列棚が設置されている。このような商品陳列棚は、支柱の上下方向に係止孔が複数列設されており、ブラケットは、その後端に形成された鉤状のフック部を前記係止孔に係合させることで支柱に対して支持されるようになっている。
【０００３】
また、このような商品陳列棚の中には、ブラケットのフック部に支柱の係止孔に異なる角度で係合する係合部が複数形成され、係合部の選択で支柱に対する棚部材の傾斜角度を客が見やすい角度に調節して商品を陳列できるものがある（例えば、特許文献１参照）。
【先行技術文献】
【特許文献】
【０００４】
【特許文献１】特開平９−１０８０７５号公報（第３頁、第４図）
【発明の概要】
【発明が解決しようとする課題】
【０００５】
しかしながら、特許文献１にあっては、棚部材の角度調節の度に棚部材とブラケットとを支柱から取外す必要があり、調節作業が煩雑であるという問題があった。
【０００６】
本発明は、このような問題点に着目してなされたもので、棚部材の角度の調節が簡便に行える商品陳列棚を提供することを目的とする。
【課題を解決するための手段】
【０００７】
前記課題を解決するために、本発明の商品陳列棚は、
左右に間隔を隔てて立設された支柱に取付けられる左右１対のブラケットにより棚部が支持された商品陳列棚であって、
前記棚部は、商品載置面として機能する第１載置面と第２載置面とを表裏に有する棚部材を備え、前記棚部材は、前記第１載置面を上面にして前記ブラケット上に支持された場合と、前記第２載置面を上面にして前記ブラケット上に支持された場合と、における前記支柱に対する商品載置面の傾斜角度が互いに異なることを特徴としている。
この特徴によれば、棚部材の表裏に設けられた第１載置面及び第２載置面の一方を商品載置面として用いるのみで、商品を載置する商品載置面の角度調節を簡便に行うことができる。
【０００８】
前記棚部材の前記第１載置面または前記第２載置面の少なくともいずれかの端部寄りには、前記支柱側で支持される立上部が形成されていることを特徴としている。
この特徴によれば、立上部が支持された場合の商品載置面の傾斜角度と、支持されない場合の商品載置面の傾斜角度とが異なるため、商品載置面の角度を容易に変更できる。
【０００９】
前記棚部は、前記左右１対のブラケットに支持される基台部材と、該基台部材上に載置される前記棚部材と、からなることを特徴としている。
この特徴によれば、棚部材を基台部材に対して裏返して載置させるのみで容易に商品載置面の傾斜角度の変更することができる。
【００１０】
前記基台部材の後方部には、上向き略コ字状の凹溝が形成されており、前記棚部材の前記立上部が前記凹溝に嵌入可能となっていることを特徴としている。
この特徴によれば、棚部材の立上部を凹溝に嵌入させて棚部材の前後移動を確実に規制することができる。
【００１１】
前記棚部材における前記立上部の近傍には、凹溝部または孔部が形成されており、前記凹溝部または孔部が前記基台部材の後方部に設けられた凸部に係合可能になっていることを特徴としている。
この特徴によれば、棚部材の凹溝または孔に基台部材の凸部を係合させて棚部材の前後移動を確実に規制することができる。
【図面の簡単な説明】
【００１２】
【図１】実施例における商品陳列棚の構造を示す斜視図である。
【図２】陳列棚部の構造を示す分解斜視図である。
【図３】棚部材のフレームの構造を示す斜視図である。
【図４】第１の形態時の棚部材を示す側断面図である。
【図５】第１の形態時の棚部材の配置状態を示す正面断面図である。
【図６】第２の形態時の棚部材を示す側断面図である。
【図７】第１の形態時の棚部材の位置と第２の形態時棚部材の位置との比較を示す側断面図である。
【発明を実施するための形態】
【００１３】
本発明に係る商品陳列棚を実施するための形態を実施例に基づいて以下に説明する。
【実施例】
【００１４】
実施例に係る商品陳列棚につき、図１から図７を参照して説明する。以下、図１の画面左下側を商品陳列棚の正面側（前方側）とし、商品陳列棚の正面視左右側を商品陳列棚の左右側として説明する。
【００１５】
図１に示されるように、商品陳列棚１は、主に商店やスーパーマーケットやコンビニエンスストア等に設置され、商品を陳列して販売するためのものであり、売り場において、複数に並列または単体で配置されている。尚、本実施例では、単体で配置された商品陳列棚１を例に取り説明する。
【００１６】
図１及び図２に示されるように、商品陳列棚１は、左右に離間した中空筒状の支柱２，２と、支柱２，２の前面側に上下複数に取付けられる陳列棚部３，３，…（棚部）と、商品陳列棚１の下部に設けられる下方棚部４と、から主に構成されている。
【００１７】
支柱２の下端部には、前後に延びる脚部５ａ，５ａ及び上方側に延びる図示しない挿入部を有する略Ｔ字形状のベース脚５が、前記挿入部を支柱２の下端部に挿入嵌合することで組み付けられており、前後方向への転倒が防止されている。尚、このベース脚５は、脚部５ａを前後に有する形状に限られず、前方に延びる脚部及び上方側に延びる挿入部を有するＬ字形状に形成し、前方への転倒が防止されていてもよい。
【００１８】
支柱２，２の上下端は、左右に延びる架設部材６，６により、支柱２，２同士が強固に連結されている。また各支柱２の前面には、係止孔２ａ，２ａ，…が上下複数に設けられている。支柱２の係止孔２ａには、ブラケット７の後端に設けられたフック８，８，…が係止可能となっており、フック８を係止孔２ａに係止させることによりブラケット７が支柱２の前面に取付けられる。
【００１９】
図１に示されるように、下方棚部４は、支柱２，２にそれぞれ取付けられた左右１対のブラケット７，７と、左右１対のブラケット７，７の上に図示しないボルト等により固定される棚板９と、から構成され、棚板９の上面に商品を陳列することができるようになっている。
【００２０】
図１及び図２に示されるように、陳列棚部３は、支柱２，２にそれぞれ取付けられた左右１対のブラケット７，７と、左右１対のブラケット７，７に支持される基台部材１０と、基台部材１０上に支持される棚部材１１と、を備えている。
【００２１】
図２に示されるように、基台部材１０は、左右両端側に配置され下向き略コ字形状の凹部１２ａ，１２ａをそれぞれ有した縦枠部１２，１２と、縦枠部１２，１２同士の前端部を連結する前方連結部１３と、縦枠部１２，１２同士の後端部を連結する後方連結部１４と、を有している。縦枠部１２，１２の凹部１２ａ，１２ａは、ブラケット７，７に外嵌可能となっており、凹部１２ａ，１２ａをブラケット７，７に外嵌させ、図示しない固定ネジにより縦枠部１２，１２とブラケット７，７とを締結することで基台部材１０がブラケット７，７を介して支柱２，２に対して取付けられる。
【００２２】
図２に示されるように、前方連結部１３には、左右方向に離間して設けられた挿入孔１３ａ，１３ａ，１３ａを備えており、この挿入孔１３ａ，１３ａ，１３ａにストッパー部材１５の下端片１５ａ，１５ａ，１５ａを挿入可能となっている。挿入孔１３ａ，１３ａ，１３ａにストッパー部材１５の下端片１５ａ，１５ａ，１５ａを挿入することにより、前方連結部１３にストッパー部材１５が立設される。また後方連結部１４は、前後に離間して配置された凸片１４ｂ（凸部）及び突片１４ｃを有し、凸片１４ｂ（凸部）及び突片１４ｃの間には、左右方向に延びる凹溝１４ａが形成されている。また、凸片１４ｂは、後方連結部１４の前方側に配置されており、縦枠部１２，１２の上面よりも上方に突出している（図４参照）。
【００２３】
本実施例の棚部材１１は、略矩形状の枠体１６に樹脂等により形成された線材１７を編み込むことにより形成されている。尚、棚部材は、線材１７を編み込んで形成されたものに限らず、例えば線材が編み込まれたように視認できる形状となるように、樹脂等が型抜きされた一体成型のものでもよい。図２及び図３に示されるように、枠体１６は、前後に直線状に延びる縦枠材１６ａ，１６ａと、縦枠材１６ａ，１６ａを連結するように前後方向に離間して配される複数（本実施例では６本）の横枠材１９Ａ，１９Ｂ，１９Ｃ，１９Ｄ，１９Ｅ，１９Ｆと、最も後端に配される横枠材１９Ｆから上下方向に延びる立上部１８と、を有している。
【００２４】
図２に示されるように、線材１７は、縦枠材１６ａ，１６ａと、横枠材１９Ａ，１９Ｂ，１９Ｃ，１９Ｄ，１９Ｅと、を覆うように縦方向及び横方向から編み込まれており、線材１７が編み込まれた部分の表裏面は、物品を載置可能な商品載置面として機能している。この商品載置面は、立上部１８の立ち上がり方向と反対側の面が、第１載置面１１ａとなっており、この第１載置面１１ａの裏面であって立上部１８の立ち上がり方向と同一側の面が、第２載置面１１ｂとなっている。また、最も後端に配される横枠材１９Ｆと、該横枠材１９Ｆに隣接する横枠材１９Ｅとの間隙は、上下に貫通する孔部１１ｃとなっている。
【００２５】
図４に示されるように、棚部材１１は、通常の陳列時において第２載置面１１ｂ及び立上部１８が上方側に配され、第２載置面１１ｂが水平となった第１の形態となっている。このときには、図５に示されるように、棚部材１１の縦枠材１６ａ，１６ａが、基台部材１０の縦枠部１２，１２上に配置されているため、棚部材１１が安定して基台部材１０に載置されている。また、図４に示されるように、基台部材１０の凸片１４ｂが棚部材１１の孔部１１ｃ内に挿入されており、棚部材１１は、横枠材１９Ｅ，１９Ｆと基台部材１０の凸片１４ｂとの係合により前後移動が規制されている。また、立上部１８が第２載置面１１ｂから上方に立ち上がった状態となっているため、第２載置面１１ｂに陳列された商品の後方側への移動が防止されている。
【００２６】
次に、前記第１の形態時の棚部材１１を裏返した第２の形態について説明する。図６に示されるように、第２の形態時の棚部材１１は、第１載置面１１ａが上方側に配されているとともに、下方を向く立上部１８が凹溝１４ａ内に挿入され突片１４ｃに当接することで、棚部材１１の後方側が持ち上がり、第１載置面１１ａがブラケット７，７に対し傾斜している。そのため、第１載置面１１ａに載置された商品は、後方側が持ち上がるように傾斜した状態で陳列されており、客から見やすくなっている。また、棚部材１１の立上部１８が凹溝１４ａに係合しているため、棚部材１１の前後移動が規制されている。更に、棚部材１１の前端部がストッパー部材１５に当接した状態で前方連結部１３上に配置されているため、第１載置面１１ａに陳列された商品の落下が防止されている。
【００２７】
以上説明したように、棚部材１１の表裏に設けられた第１載置面１１ａ及び第２載置面１１ｂの一方を選択して商品載置面として用いることのみで、商品載置面がブラケット７，７に対し平行となった第１の形態、または商品載置面がブラケット７，７に対し傾斜した第２の形態とすることができ、商品を載置する商品載置面の角度調節を簡便に行うことができる。
【００２８】
また、棚部材１１の第２載置面１１ｂの後端部近傍には、立上部１８が形成されており、立上部１８により支持されることでブラケット７，７に対し傾斜した第１載置面１１ａの傾斜角度と、棚部材１１の縦枠材１６ａ，１６ａを基台部材１０の縦枠部１２，１２上に直接配置することでブラケット７，７に対し平行となった第２載置面１１ｂの傾斜角度とが異なるため、商品載置面の角度を容易に変更できる。尚、立上部は、第１載置面側に設けられていても構わない。
【００２９】
また、左右１対のブラケット７，７に基台部材１０を介して棚部材１１を載置することで、棚部材１１が安定して支持されるようになり、棚部材１１を基台部材１０に対して裏返して載置させるのみで、容易に商品載置面の傾斜角度の変更することができる。
【００３０】
また、前述のように、第１の形態時に基台部材１０の凸片１４ｂが挿入される棚部材１１の孔部１１ｃと、第２の形態時に第１載置面１１ａをブラケット７，７に対し傾斜させるための立上部１８とは、共に棚部材１１の後端部に設けられているため、図７に示されるように、棚部材１１の前端部は、第１の形態時及び第２の形態時において同一位置に配置される。そのため、第１の形態時及び第２の形態時における商品の陳列構成を統一することができ、前記第１の形態時または前記第２の形態時であっても陳列された商品の見栄えがよくなる。更に、前記第１の形態時または前記第２の形態時であっても棚部材１１の配置される位置を常に把握でき、商品の陳列構成を考案しやすい。
【００３１】
更に、基台部材１０の凸片１４ｂは、第１の形態時の棚部材１１の孔部１１ｃ内に挿入されることで、第１の形態時の棚部材１１の前後移動を規制する効果を奏するばかりか、当該凸片１４ｂは、突片１４ｃとともに凹溝１４ａを構成するため、第２の形態時の棚部材１１の立上部１８を凹溝１４ａに係合することで、第２の形態時の棚部材１１の前後移動を規制する効果も奏する。
【００３２】
尚、本実施例では、立上部１８が商品載置面に対して直交して立ち上がる態様について説明したが、これに限られず、例えば、様々な角度で立ち上がる立上部を有する棚部材を複数用意し、基台部材に対する第１載置面の傾斜角度を細やかに調整するようにしてもよい。また、基台部材に対する第１載置面の傾斜角度を調整する態様として、立ち上がりの長さの異なる立上部を有する棚部材を複数用意することにより、基台部材に対する第１載置面の傾斜角度を調整するようにしてもよい。
【００３３】
また、例えば、基台部材の嵌合部の外側面に上方に張り出す突出片をそれぞれ設け、当該基台部材上に載置される棚部材の左右方向への移動規制を向上させてもよい。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例では、棚部材１１が基台部材１０を介してブラケット７，７に載置される態様について説明したが、基台部材を省略してブラケットに対して棚部材が直接支持されるようにしてもよい。
【００３６】
また、前記実施例では、棚部材１１における樹脂製の線材１７が編み込まれた部分を指して物品が載置可能な商品載置面として説明したが、これに限られず、例えば、商品載置面は、木製や金属製の平板であってもよい。尚、商品載置面は、第１載置面と第２載置面とが平面である略同一形状となっていたが、これに限られず、例えば、一方が平面形状をなし、他方が凸面形状をなして、第１載置面と第２載置面とが異なる形状に形成されていてもよい。
【００３７】
また、前記実施例では、商品載置面を傾斜させる手段として立上部１８を用いる態様について説明したが、これに限られず、第１載置面及び第２載置面の一方を商品載置面として選択することで、第１載置面の傾斜角度と、第２載置面の傾斜角度とが異なるようになっていれば、商品載置面を傾斜させる手段を自由に設計することができる。
【００３８】
また、棚部材１１には、上下に貫通する孔部１１ｃが設けられ、この孔部１１ｃに基台部材１０の凸片１４ｂが係合可能になっていたが、基台部材１０の凸片１４ｂが係合可能であれば、有底の凹溝部であってもよい。
【符号の説明】
【００３９】
１                商品陳列棚
２                支柱
２ａ              係止孔
３                陳列棚部（棚部）
７                ブラケット
８                フック
１０              基台部材
１１              棚部材
１１ａ            第１載置面
１１ｂ            第２載置面
１１ｃ            孔部
１４ａ            凹溝
１４ｂ            凸片（凸部）
１８              立上部
【図１】
2015196023.tif 000003
【図２】
2015196023.tif 000004
【図３】
2015196023.tif 000005
【図４】
2015196023.tif 000006
【図５】
2015196023.tif 000007
【図６】
2015196023.tif 000008
【図７】
2015196023.tif 000009